(57)【特許請求の範囲】
【請求項１】
それぞれの定格電流値が異なる発光素子を順次選択制御する発光素子選択制御手段と、前記発光素子選択制御手段により選択された発光素子に直流電源から供給される電流を所定の出力電流値に変換して出力する電源供給手段と、前記各発光素子に対応して接続される期間に定格電圧値に対応した電荷が充電され、非接続にされる期間に前記充電した電荷が保持される補助容量を、前記発光素子選択制御手段による発光素子の選択タイミングに同期して当該発光素子に並列接続させる補助容量接続制御手段を備えたことを特徴とする発光素子の駆動装置。
【請求項２】
前記電源供給手段は、前記発光素子選択制御手段により選択された発光素子の定格電流値に対応するように、前記各発光素子に出力する電流値を可変設定することを特徴とする請求項１に記載の発光素子の駆動装置。
【請求項３】
前記電源供給手段は、前記直流電源から供給される電流をスイッチングを繰り返すことにより前記発光素子に供給するスイッチング素子を備え、
前記発光素子選択制御手段は、前記スイッチング素子のスイッチングがオンになっている間に、前記各発光素子を選択制御することを特徴とする請求項１または２に記載の発光素子の駆動装置。
【請求項４】
それぞれの定格電流値が異なる発光素子を順次選択制御し、前記選択された発光素子に直流電源から供給される電流を所定の出力電流値に変換して出力するときに、前記各発光素子に対応して接続される期間に定格電圧値に対応した電荷が充電され、非接続にされる期間に前記充電した電荷が保持される補助容量を、前記発光素子選択制御手段による発光素子の選択タイミングに同期して当該発光素子に並列接続させることを特徴とする発光素子の駆動方法。
【請求項５】
請求項１から３の何れかの発光素子の駆動装置を備えたことを特徴とするプロジェクタ。
【発明の詳細な説明】
【技術分野】
【０００１】
本発明は、複数の発光素子を時分割駆動する発光素子の駆動装置、発光素子の駆動方法及びプロジェクタに関する。
【背景技術】
【０００２】
従来、企画説明や商品説明等のプレゼンテーションや研究発表等の講演において、例えばパソコン（パーソナルコンピュータ）により作成した説明画像をスクリーンに拡大して投影するためプロジェクタが用いられている。前記プロジェクタにおいてカラー画像を投影する方式には、例えば色面順次（フィールドシーケンシャルカラー）方式や色画像合成方式がある。
【０００３】
前記色面順次方式は、スクリーンにＲ画像、Ｇ画像、Ｂ画像を周期的にかつ高速で切り替えて投影することにより人間の目にカラー画像を認識させる方式である。前記色面順次方式のプロジェクタとしては、パソコンから出力される画像情報を光ビームに乗せるための光変調素子としてＤＭＤ（DigiＴｉl Micromirror Device）を用いるものが実用化されている。かかるプロジェクタは、光源からの光を、回転方向にＲ（赤）、Ｇ（緑）、Ｂ（青）に領域分けされたカラーホイール（色フィルタ）を介してＤＭＤに集光し、ＤＭＤが反射した光をスクリーンに投影させる構成を備え、前記カラーホイールを回転させながら、それと同期してＤＭＤをＲ画像、Ｇ画像、Ｂ画像に対応する状態に機械的に駆動し、各状態のＤＭＤが反射したＲ、Ｇ、Ｂの各色成分の画像の投影光をスクリーンに照射するようになっている。
【０００４】
また、近年においては、光源に、それぞれが、Ｒ（赤）、Ｇ（緑）、Ｂ（青）に発光する発光素子としてのＬＥＤを使用し、それらを色別に順次発光させる時分割駆動を行うことにより、前記カラーホイール等を用いることなくカラー画像を投影することが可能なプロジェクタも開発されている。
【０００５】
ところで、前記ＬＥＤを駆動するための駆動装置には、例えば、図６に示すように、ＬＥＤ８７に流れる電流値Ｉｏｕｔが一定となるように、直流電源８０から供給される電流値Ｉｉｎを変換して出力する電源供給手段が備えられている。
【０００６】
前記電源供給手段は、直流電源８０から供給される電圧を平滑化する入力平滑コンデンサ８１と、電圧を昇圧する昇圧コイル８２と、スイッチング素子８２と、前記スイッチング素子８３のオン／オフの制御を実行する制御部８４と、出力する電圧を平滑化する出力平滑コンデンサ８５と、電流の逆流を防止するための逆流防止ダイオード８６と、出力電流の検出用抵抗８８と負荷となるＬＥＤ８７により構成されている。
【０００７】
以下、前記電源供給手段の動作について説明する。前記制御部８４の制御により、前記スイッチング素子８３がオンされると、前記直流電源８０からの電流が前記昇圧コイル８２に供給される。そして、時間の経過とともに、前記昇圧コイル８２には、前記昇圧コイル８２に流れる電流値の２乗に比例するエネルギーが蓄積される。次に、前記スイッチング素子８３がオフされると、前記昇圧コイル８２に蓄積されたエネルギーは、前記逆流防止ダイオード８６を介して、前記出力平滑コンデンサ８５に蓄積される。ここで、前記逆流防止ダイオード８６は、前記スイッチング素子８３がオンしたときに、前記出力平滑コンデンサ８５に蓄積された電荷が、前記スイッチング素子８３を介して流出することを防止している。
【０００８】
前記制御部８４は、前記ＬＥＤ８７に流れる電流状態を、前記抵抗８８に発生する電圧差の値により検出し、前記検出した値に基づいて前記ＬＥＤ８７に供給する出力電流値Ｉｏｕｔが所定の電流値で一定となるように、前記スイッチング素子８３のオン／オフの制御を実行する。
【０００９】
そして、複数のＬＥＤを上述したように時分割駆動する場合には、例えば、前記各ＬＥＤに対して、それぞれに前記電源供給手段を設け、前記各電源供給装置を時分割で駆動するか、また或いは、前記電源供給手段の出力側に、前記ＬＥＤを順次選択する発光素子選択手段を備え、前記電源供給手段からの出力を前記各ＬＥＤに順次入力させることが考えられる。
【特許文献１】特開２００４−３１１６３５号公報
【発明の開示】
【発明が解決しようとする課題】
【００１０】
しかし、前記各ＬＥＤに対して、それぞれに前記電源供給手段を設け、前記各電源供給装置を時分割で駆動する場合には、必要とする電源供給手段の数が多くなり、その回路規模が大きくなるとともに、製造コストが高くなるという問題がある。
【００１１】
一方、各ＬＥＤに共通の電源供給手段を用い、前記電源供給手段からの出力を前記各ＬＥＤに順次入力する場合には、回路規模や製造コストが安くなり好ましいが、例えば、Ｒ（赤）、Ｇ（緑）、Ｂ（青）に発光する各ＬＥＤにおいて、それぞれが目的とする輝度で発光するための定格電流値は、それぞれ異なっている。また、前記各定格電流値とするための定格電圧値も、それぞれ異なっている。そして、前記電源供給手段は、図７（ａ）に示すように、前記スイッチング素子８３のオン／オフ動作により、前記昇圧コイル８２に流れる電流値を徐々に増加させて、前記出力電流値Ｉｏｕｔを徐々に増加させていくいため、目的の出力電流値となるように昇圧を開始してから前記目的の出力電流値に至るまでの応答速度が遅い。
【００１２】
このため、前記各ＬＥＤを発光させるタイミング毎に、発光タイミングにあるＬＥＤに対応させて、それに供給する電流値も可変させる必要があるが、前記各ＬＥＤは、その点滅状態が視認できない程度の短い周期で時分割駆動しているため、図７（ｂ）に示すように、ＬＥＤの点灯時間と比較して、定格電流値に安定するまでの時間が長くなり、安定した発光状態を得ることが難しいという問題があった。
【００１３】
本発明は、上述した従来欠点に鑑み、それぞれの定格電流値が異なる発光素子を共通の電源供給手段により電源を供給しながらも、前記各発光素子を時分割駆動により安定して発光させることが可能な発光素子の駆動装置、発光素子の駆動方法及びプロジェクタを提供する点にある。
【課題を解決するための手段】
【００１４】
上述の目的を達成するため、本発明による発光素子の駆動装置の第一の特徴構成は、それぞれの定格電流値が異なる発光素子を順次選択制御する発光素子選択制御手段と、前記発光素子選択制御手段により選択された発光素子に直流電源から供給される電流を所定の出力電流値に変換して出力する電源供給手段と、前記各発光素子に対応して接続される期間に定格電圧値に対応した電荷が充電され、非接続にされる期間に前記充電した電荷が保持される補助容量を、前記発光素子選択制御手段による発光素子の選択タイミングに同期して当該発光素子に並列接続させる補助容量接続制御手段を備えたことを特徴とする点にある。
【００１６】
同発光素子の駆動装置の第二の特徴構成は、上述の第一の特徴構成に加え、前記電源供給手段は、前記発光素子選択制御手段により選択された発光素子の定格電流値に対応するように、前記各発光素子に出力する電流値を可変設定することを特徴とする点にある。
【００１７】
同発光素子の駆動装置の第三の特徴構成は、上述の第一または第二の特徴構成に加え、前記電源供給手段は、前記直流電源から供給される電流をスイッチングを繰り返すことにより前記発光素子に供給するスイッチング素子を備え、前記発光素子選択制御手段は、前記スイッチング素子のスイッチングがオンになっている間に、前記各発光素子を選択制御することを特徴とする点にある。
【００１８】
同発光素子の駆動方法の第一の特徴構成は、それぞれの定格電流値が異なる発光素子を順次選択制御し、前記選択された発光素子に直流電源から供給される電流を所定の出力電流値に変換して出力するときに、前記各発光素子に対応して接続される期間に定格電圧値に対応した電荷が充電され、非接続にされる期間に前記充電した電荷が保持される補助容量を、前記発光素子選択制御手段による発光素子の選択タイミングに同期して当該発光素子に並列接続させることを特徴とする点にある。
【００１９】
プロジェクタの第一の特徴構成は、上述の第一から第三の何れかの特徴構成の発光素子の駆動装置を備えたことを特徴とする点にある。
【発明の効果】
【００２０】
本発明によれば、それぞれの定格電流値が異なる発光素子を共通の電源供給手段により電源を供給しながらも、前記各発光素子を時分割駆動により安定して発光させることが可能な発光素子の駆動装置、発光素子の駆動方法及びプロジェクタを提供することができるようになった。
【発明を実施するための最良の形態】
【００２１】
以下、本発明の実施形態について説明する。尚、本実施形態では、それぞれが、Ｒ、Ｇ、Ｂに発光する定格電流値の異なる３個の発光素子としてのＬＥＤ１０Ｒ、１０Ｇ、１０Ｂを所定の周期で時分割して駆動する場合について説明するが、発光色はＲ、Ｇ、Ｂに限定するものではなく、また、ＬＥＤの数も３個に限定するものでもない。
【００２２】
発光素子の駆動装置１は、例えばパソコンにより作成した説明画像などをスクリーンに拡大して投影するためプロジェクタに備えられ、その機能ブロック構成は、図１に示すように、前記ＬＥＤ１０Ｒ、１０Ｇ、１０Ｂを順次選択制御する発光素子選択制御手段１１と、前記発光素子選択制御手段１１により選択された発光素子に直流電源１２から供給される電流Ｉｉｎを所定の出力電流値Ｉｏｕｔに変換して出力する電源供給手段１３と、前記各ＬＥＤ１０Ｒ、１０Ｇ、１０Ｂに対応した補助容量１４Ｒ、１４Ｇ、１４Ｂを所定のタイミングで当該発光素子に並列接続させる補助容量接続制御手段１５を含んで構成されている。
【００２３】
前記発光素子選択制御手段１１は、前記各ＬＥＤ１０Ｒ、１０Ｇ、１０Ｂに対応したスイッチング素子１６Ｒ、１６Ｇ、１６Ｂを順次オン／オフ制御することにより、前記電源供給手段１３から出力される電流の供給先となるＬＥＤを選択制御する。
【００２４】
このとき、前記発光素子選択制御手段１１は、例えば、スイッチング素子１６Ｒ、１６Ｇ、１６Ｂの遅延などにより、異なる色のＬＥＤが同時にオン状態になることのないように前記各スイッチング素子１６Ｒ、１６Ｇ、１６Ｂのオン／オフ制御タイミングを微調整しながら実行するとともに、図２に示すように、前記電源供給手段１３から出力される電流が、所定の周期Ｔｉで前記各ＬＥＤ１０Ｒ、１０Ｇ、１０Ｂに順次供給されるように前記各スイッチング素子１６Ｒ、１６Ｇ、１６Ｂのオン／オフ制御を実施する。
【００２５】
つまり、前記発光素子選択制御手段１１は、前記各ＬＥＤ１０Ｒ、１０Ｇ、１０Ｂが所定の周期Ｔｉ、例えば、２．８ｍｓで時分割駆動されるように、前記各スイッチング素子１６Ｒ、１６Ｇ、１６Ｂのオン／オフ制御を実施する。
【００２６】
前記電源供給手段１３は、直流電源１２から供給される電圧を平滑化する入力平滑コンデンサ１７と、電圧を昇圧する昇圧コイル１８と、スイッチング素子１９と、前記スイッチング素子１９のオン／オフの制御を実行する昇圧制御部２０と、出力する電圧を平滑化する出力平滑コンデンサ２１と、電流の逆流を防止するための逆流防止ダイオード２２と、出力電流の検出用抵抗２３と、出力電流値を可変設定するための可変設定部２４とを備えて構成されている。
【００２７】
前記電源供給手段１３では、前記昇圧制御部２０の制御により、前記スイッチング素子１９がオンにされると、前記直流電源１２からの電流が前記昇圧コイル１８に供給される。そして、時間の経過とともに、前記昇圧コイル１８には、前記昇圧コイル１８に流れる電流値の２乗に比例するエネルギーが蓄積される。
【００２８】
この状態で、前記昇圧制御部２０が前記スイッチング素子１９をオフすると、前記昇圧コイル１８に蓄積されたエネルギーは、前記逆流防止ダイオード２２を介して前記出力平滑コンデンサ２１に蓄積される。
【００２９】
ここで、前記逆流防止ダイオード２２は、前記スイッチング素子１９がオンしたときに、前記出力平滑コンデンサ２１に蓄積された電荷が、前記スイッチング素子１９を介して流出することを防止している。
【００３０】
また、前記昇圧制御部２０は、前記電源供給手段１３から出力される電流の大きさを、前記抵抗２３に発生する電圧差の値により検出し、前記検出した値に基づいて前記各ＬＥＤ１０Ｒ、１０Ｇ、１０Ｂに供給する出力電流値Ｉｏｕｔが所定の設定電流値で一定となるように、前記スイッチング素子１９のオン／オフ制御を実行する。
【００３１】
尚、前記スイッチング素子１９のオン／オフの周期は、負荷側に供給必要な電力量にもよるが、大凡、数十μｓ以下のオーダーであり、前記ＬＥＤの時分割駆動の周期Ｔｉに比べて十分に早い周期で駆動されている。
【００３２】
しかし、前記昇圧制御部２０は、前記スイッチング素子１９がオフしている間に、前記昇圧コイル１８に蓄えられたエネルギーを出力側に放出するため、このとき切り換えによる一時的な軽負荷状態が発生すると、出力電圧が大きく上昇して周辺回路にダメージを与える場合がある。このため、前記発光素子選択制御手段１１は、前記各スイッチング素子１６Ｒ、１６Ｇ、１６Ｂによる前記電源供給手段１３に接続されるＬＥＤの切り替えタイミングＳＷｌｅｄを、図３に示すように、前記スイッチング素子１９がオン状態ＣＯｏｎにあるときに実施するように、その切り替えタイミングＳＷｌｅｄを微調整することが好ましく、更には、前記スイッチング素子１９がオン状態ＣＯｏｎの期間内に切り替えを完了するように、その切り替えタイミングＳＷｌｅｄを微調整することが好ましい。
【００３３】
更に、前記昇圧制御部２０は、前記各ＬＥＤ１０Ｒ、１０Ｇ、１０Ｂにおける定格電流値に対応するように、前記可変設定部２４により前記設定電流値を可変設定する。
【００３４】
詳述すると、前記可変設定部２４は、前記各ＬＥＤ１０Ｒ、１０Ｇ、１０Ｂに対応した抵抗２５Ｒ、２５Ｇ、２５Ｂと、前記各抵抗２５Ｒ、２５Ｇ、２５Ｂに対応したスイッチング素子２６Ｒ、２６Ｇ、２６Ｂを備えて構成されている。
【００３５】
前記各抵抗２５Ｒ、２５Ｇ、２５Ｂは、それぞれに対応したＬＥＤの切り換えタイミングに合わせて前記スイッチング素子２６Ｒ、２６Ｇ、２６Ｂによりその一端が基準電位に接地され、前記基準電位に接地された抵抗に流れる電流Ｉｒに比例した値の電流が、当該抵抗に対応したＬＥＤに流れるように調整されるもので、前記各抵抗２５Ｒ、２５Ｇ、２５Ｂは、前記各ＬＥＤ１０Ｒ、１０Ｇ、１０Ｂに出力させる電流Ｉｏｕｔが、それぞれに対応した前記定格電流値と等しい電流値となるようにその抵抗値が設定されている。
【００３６】
そして、前記昇圧制御部２０は、前記発光素子選択制御手段１１による前記各ＬＥＤ１０Ｒ、１０Ｇ、１０Ｂの選択制御に同期して、前記スイッチング素子２６Ｒ、２６Ｇ、２６Ｂのオン／オフ制御を実施することにより、当該電源供給手段１３が電流を供給しているＬＥＤに対応する抵抗を基準電位に接地させる。
【００３７】
つまり、前記昇圧制御部２０は、当該電源供給手段１３が電流を供給する際に、当該電源供給手段１３が電流を供給するＬＥＤに対応した抵抗を基準電位に接地することにより、前記ＬＥＤの定格電流値に対応した設定電流値を設定して、当該電源供給手段１３が出力する電流値が前記設定電流値となるように制御する。
【００３８】
前記補助容量接続制御手段１５は、前記発光素子選択制御手段１１による前記各ＬＥＤ１０Ｒ、１０Ｇ、１０Ｂの選択制御に同期して、スイッチング素子２７Ｒａ、２７Ｒｂ、２７Ｇａ、２７Ｇｂ、２７Ｂａ、２７Ｂｂのオン／オフ制御を実施することにより、前記電源供給手段１３が電流を供給しているＬＥＤに、それに対応する補助容量を並列接続させる。
【００３９】
前記各ＬＥＤ１０Ｒ、１０Ｇ、１０Ｂに対応した補助容量１４Ｒ、１４Ｇ、１４Ｂは、それぞれに対応した一対のスイッチング素子の間に接続されている。具体的には、前記補助容量１４Ｒが、それに対応したスイッチング素子２７Ｒａ、２７Ｒｂ間に、前記補助容量１４Ｇが、それに対応したスイッチング素子２７Ｇａ、２７Ｇｂ間に、前記補助容量１４Ｂが、それに対応したスイッチング素子２７Ｂａ、２７Ｂｂ間に、それぞれ接続されている。
【００４０】
つまり、前記補助容量接続制御手段１５は、前記電源供給手段１３が各ＬＥＤ１０Ｒ、１０Ｇ、１０Ｂに電流を供給する際に、前記電源供給手段１３が電流を供給するＬＥＤに対応した補助容量を、前記スイッチング素子２７Ｒａ、２７Ｒｂ、２７Ｇａ、２７Ｇｂ、２７Ｂａ、２７Ｂｂの操作により、前記ＬＥＤに並列接続させ、前記ＬＥＤの定格電圧値に対応した電荷を前記並列接続された補助容量に充電させる。
【００４１】
また、電荷が充電された補助容量に対応したＬＥＤに対して、電流が供給されなくなると、前記電流が供給されなくなったＬＥＤに対応する補助容量を前記ＬＥＤから切り離すことで、前記補助容量に充電した電荷を保持させる。
【００４２】
以下、前記補助容量接続制御手段１５の具体的な動作を図４のタイミングチャートに基づいて説明する。前記電源供給手段１３が前記ＬＥＤ１０Ｒに、それに対応した定格電流を供給するために、前記発光素子選択制御手段１１により、前記スイッチング素子１６Ｒをオン状態に、前記スイッチング素子１６Ｇ、１６Ｂをオフ状態に、それぞれ切り替えられると、前記補助容量接続制御手段１５は、前記スイッチング素子２７Ｒａ、２７Ｒｂをオン状態に、前記スイッチング素子２７Ｇａ、２７Ｇｂ、２７Ｂａ、２７Ｂｂをオフ状態に、それぞれ切り替え、前記補助容量１４Ｒを前記ＬＥＤ１０Ｒに並列接続させるとともに、前記補助容量１４Ｇ、１４Ｂをフローティング状態にさせる（Ｔａ１）。
【００４３】
このとき、前記補助容量１４Ｒには、前記電源供給手段１３から供給される前記ＬＥＤ１０Ｒの定格電圧値に対応した電荷が充電される。
【００４４】
次に、前記電源供給手段１３が前記ＬＥＤ１０Ｇに、それに対応した定格電流を供給するために、前記発光素子選択制御手段１１により、前記スイッチング素子１６Ｇをオン状態に、前記スイッチング素子１６Ｒ、１６Ｂをオフ状態に、それぞれ切り替えられると、前記補助容量接続制御手段１５は、前記スイッチング素子２７Ｇａ、２７Ｇｂをオン状態に、前記スイッチング素子２７Ｒａ、２７Ｒｂ、２７Ｂａ、２７Ｂｂをオフ状態に、それぞれ切り替え、前記補助容量１４Ｇを前記ＬＥＤ１０Ｇに並列接続させるとともに、前記補助容量１４Ｒ、１４Ｂをフローティング状態にさせる（Ｔａ２）。
【００４５】
このとき、前記補助容量１４Ｇには、前記電源供給手段１３から供給される前記ＬＥＤ１０Ｇの定格電圧値に対応した電荷が充電される。
【００４６】
また、前記補助容量１４Ｒには、前記ＬＥＤ１０Ｒの定格電圧値に対応して充電された電荷が維持される。
【００４７】
更に、前記電源供給手段１３が前記ＬＥＤ１０Ｂに、それに対応した定格電流を供給するために、前記発光素子選択制御手段１１により、前記スイッチング素子１６Ｂをオン状態に、前記スイッチング素子１６Ｒ、１６Ｇをオフ状態に、それぞれ切り替えられると、前記補助容量接続制御手段１５は、前記スイッチング素子２７Ｂａ、２７Ｂｂをオン状態に、前記スイッチング素子２７Ｒａ、２７Ｒｂ、２７Ｇａ、２７Ｇｂをオフ状態に、それぞれ切り替え、前記補助容量１４Ｂを前記ＬＥＤ１０Ｂに並列接続させるとともに、前記補助容量１４Ｒ、１４Ｇをフローティング状態にさせる（Ｔａ３）。
【００４８】
このとき、前記補助容量１４Ｂには、前記電源供給手段１３から供給される前記ＬＥＤ１０Ｂの定格電圧値に対応した電荷が充電される。
【００４９】
また、前記補助容量１４Ｒには、前記ＬＥＤ１０Ｒの定格電圧値に対応して充電された電荷が維持されるとともに、前記補助容量１４Ｇには、前記ＬＥＤ１０Ｇの定格電圧値に対応して充電された電荷が維持される。
【００５０】
そして、再び、前記電源供給手段１３が前記ＬＥＤ１０Ｒに、それに対応した定格電流を供給するために、前記発光素子選択制御手段１１により、前記スイッチング素子１６Ｒをオン状態に、前記スイッチング素子１６Ｇ、１６Ｂをオフ状態に、それぞれ切り替えられると、前記補助容量接続制御手段１５は、前記スイッチング素子２７Ｒａ、２７Ｒｂをオン状態に、前記スイッチング素子２７Ｇａ、２７Ｇｂ、２７Ｂａ、２７Ｂｂをオフ状態に、それぞれ切り替え、前記補助容量１４Ｒを前記ＬＥＤ１０Ｒに並列接続させるとともに、前記補助容量１４Ｇ、１４Ｂをフローティング状態にさせる（Ｔａ４）。
【００５１】
このとき、前記補助容量１４Ｒには、前記電源供給手段１３から供給される前記ＬＥＤ１０Ｒの定格電圧値に対応した電荷が充電されているため、前記ＬＥＤ１０Ｒには、前記補助容量１４Ｒからも前記ＬＥＤ１０Ｒに対応した定格電流が供給される。そして、このことにより、前記電源供給手段１３が前記ＬＥＤ１０Ｂに対応した定格電流から、前記電源供給手段１３が前記ＬＥＤ１０Ｒに対応した定格電流に可変させる応答時間が遅い場合においても、図５に示すように、前記ＬＥＤ１０Ｒに流れる電流は速やかに前記定格電流に到達し、前記ＬＥＤ１０Ｒは、その発光タイミング時に安定した発光状態を得ることができる。
【００５２】
また、前記補助容量から供給される電流は方向性をもっており、切り換え前のＬＥＤの定格電圧より、切り換え後のＬＥＤの定格電圧が高い場合は流れ出し電流となり、切り換え後のＬＥＤ定格電圧が逆に低い場合は流れ込み電流になる。つまり、切り換え前の前記電源供給手段１３の電力供給量が小さかった場合は、切り換え直後の調整局面で一時的に不足するエネルギーを前記補助容量で補充し、逆に切り換え前の電力供給量が大きかった場合には、切り換え直後の調整局面で一時的に過剰となるエネルギーを前記補助容量で吸収する事で、切り換え後の前記ＬＥＤに印加される電圧が速やかに切り換え後の前記ＬＤＥの定格電圧と等しくなり、定格電流も速やかに等しくなる様に作用する。
【００５３】
以後、上述したような動作が前記ＬＥＤ１０Ｇ、１０Ｂに対しても実施され、これが繰り返されることによって、各ＬＥＤは、安定した発光状態を得ることができる。
【００５４】
上述したように、前記発光素子の駆動装置１では、それぞれ定格電流値の異なるＬＥＤを共通の電源供給手段により連続して時分割駆動する際に、前記それぞれ定格電流値の異なるＬＥＤに対して、その駆動条件を保持できる補助容量を同数または必要数設けて、その接続／非接続をペアになるＬＥＤと同期して行うことにより、切り替え前後の電力差を前記補助容量により吸収している。
【００５５】
上述の実施形態では、前記各補助容量が、それぞれに対応するＬＥＤに並列接続される期間と、非接続にされる期間とを繰り返すために、前記各補助容量をそれぞれ二つのスイッチング素子間に接続して、前記各二つのスイッチング素子のオン／オフ切り替えを所定のタイミングで行う構成について説明したが、これに限定するものではなく、前記各補助容量は、適宜、それぞれに対応したＬＥＤに所定のタイミングで並列接続される構成とすればよい。
【００５６】
上述の実施形態では、発光素子の駆動装置をプロジェクタに適用した場合について説明したが、これに限定するものではなく、ＬＥＤを光源とする直視型の液晶ディスプレイなどにも適用することができる。
【図面の簡単な説明】
【００５７】
【図１】発光素子の駆動装置の説明図
【図２】時分割駆動の説明図
【図３】スイッチング素子間の切り替えタイミングの説明図
【図４】補助容量接続制御手段の動作を説明するためのタイミングチャート
【図５】応答速度の改善例の説明図
【図６】従来技術における電源供給手段の説明図
【図７】（ａ）電源供給手段における応答速度の説明図、（ｂ）時分割駆動時における応答速度の説明図
【符号の説明】
【００５８】
１：発光素子の駆動装置
１０Ｒ、１０Ｇ、１０Ｂ：発光素子（ＬＥＤ）
１１：発光素子選択制御手段
１２：直流電源
１３：電源供給手段
１４Ｒ、１４Ｇ、１４Ｂ：補助容量
１５：補助容量接続制御手段
２４：可変設定部
【図１】
0004595867.tif 000002
【図２】
0004595867.tif 000003
【図３】
0004595867.tif 000004
【図４】
0004595867.tif 000005
【図５】
0004595867.tif 000006
【図６】
0004595867.tif 000007
【図７】
0004595867.tif 000008